(57)【要約】【課題】  生体試料が流入処理される流入器具に対する生体試料の流入接触位置を適確且つ迅速に案内する流入接触位置案内装置を提供する。【解決手段】  便器１に取り付け自在で男性小水の流入接触位置を案内し、接触目標位置に可視赤色光線を集中照射する照射体３ａを備え、接触目標位置に方向調整される可視光照射器３の動作で、流入接触目標位置に円形赤色の可視目標マークが形成され、便器１の利用者が接触目標位置の正確な調整状態で便器１を利用可能で、利用者の視覚に明確な可視目標マークに向け、簡単な段取りで男性小水を適確且つ迅速に流入可能になる。老齢者、子供、病弱者など周囲への配慮が十分でない利用者も、赤く輝く円形の可視目睫マークに男性小水を正確に放出することが可能で、利用者は、迅速に適確に便器１を利用でき、床に小水が飛散して汚れや異臭を残すことが無くなる。【選択図】図１
2011208485.tif 000002
【特許請求の範囲】
【請求項１】
生体試料の流入器具に取り付け自在で、前記流入器具に対する前記生体試料の流入接触位置を案内する流入接触位置案内装置であり、
前記接触目標位置に光波を集中照射する照射手段と、
前記接触目標位置を調整する調整手段と、
前記照射手段の動作により、前記流入接触目標位置に可視目標マークを形成する可視目標マーク形成手段と
を有することを特徴とする流入接触位置案内装置。
【請求項２】
流入器具が便器で、生体試料が男性小水であることを特徴とする請求項１記載の流入接触位置案内装置。
【請求項３】
可視目標マークが円形の赤色マークであることを特徴とする請求項１または請求項２記載の流入接触位置案内装置。
【請求項４】
可視目標マーク形成手段により、可視目標マークの外形が微変動することを特徴とする請求項１ないし請求項３の何れかに記載の流入接触位置案内装置。
【発明の詳細な説明】
【技術分野】
【０００１】  本発明は、生体試料が流入処理される流入器具に取り付け自在で、流入器具に対する生体試料の流入接触位置を適確且つ迅速に案内する流入接触位置案内装置に関する。
【背景技術】
【０００２】  生体からの生体試料が流入処理される流入器具に対して、流入器具の所定の目標位置に生体試料を適確且つ迅速に流入することが要求されることがある。
例えば、便器に対して男性小水を生体試料として放出流入する場合には、便器蓋と便座を上方に開いた状態で、便器本体の底部の所定目標位置に生体試料が接触するように、生体試料を流入させることが要求される。【０００３】  この場合、便器本体の底部の所定位置との接触を外して、生体試料が便器本体に流入されると、生体試料が便器本体の外に飛散して床を汚すことがある。ここで、飛散した生体試料を直ちに拭き取る清掃が行なわれるとなんら問題はないが、例えば公衆トイレなどの場合には、清掃時間が予め定められていて、後々まで汚れが残ったり異臭が残存することになる。
【発明の概要】
【発明が解決しようとする課題】
【０００４】  本発明は、前述したような生体試料の流入器具に対する生体試料の流入の現状に鑑みてなされたものであり、その目的は、生体試料が流入処理される流入器具に対する生体試料の流入接触位置を適確且つ迅速に案内する流入接触位置案内装置を提供することにある。
【課題を解決するための手段】
【０００５】  前記目的を達成するために、請求項１記載の第１の発明は、生体試料の流入器具に取り付け自在で、前記流入器具に対する前記生体試料の流入接触位置を案内する流入接触位置案内装置であり、前記接触目標位置に光波を集中照射する照射手段と、前記接触目標位置を調整する調整手段と、前記照射手段の動作により、前記流入接触目標位置に可視目標マークを形成する可視目標マーク形成手段とを有することを特徴とするものである。
ここで光波とは、赤外線領域と紫外線領域を含む光の領域を示すものである。【０００６】  第１の発明に係る流入接触位置案内装置は、生体試料の流入器具に自在に取付け使用されるが、調整手段によって生体試料が流入接触する接触目標位置に方向が調整された状態で流入器具に取り付けられる。そして使用時には、流入される生体試料が接触する流入器具の流入接触位置に、照射手段によって赤外線領域と紫外線領域を含んだ光波が集中照射され、可視目標マーク形成手段によって、流入接触目標位置に可視目標マークが形成される。
このために、流入器具に生体試料を流入する利用者は、予め接触目標位置が正確に調整された状態で流入器具に取り付けられる流入接触位置案内装置に対して、流入接触目標位置に形成される可視目標マークに向けて、簡単な段取りで生体試料を適確に且つ迅速に流入する。【０００７】  同様に前記目的を達成するために、請求項２記載の第２の発明は、第１の発明において、流入器具が便器で生体試料が男性小水であることを特徴とするものである。
第２の発明によると、流入器具を便器とし生体試料を男性小水として第１の発明で得られる作用が実行される。【０００８】  同様に前記目的を達成するために、請求項３記載の第３の発明は、第１の発明または第２の発明において、可視目標マークが円形の赤色マークであることを特徴とするものである。
第３の発明によると、可視目標マークを円形の赤色マークとして、第１の発明または第２の発明で得られる作用が実行される。【０００９】  同様に前記目的を達成するために、請求項４記載の第４の発明は、第１の発明ないし第３の発明の何れかの発明において、可視目標マーク形成手段により、可視目標マークの外径が微変動することを特徴とするものである。
第４の発明によると、可視目標マーク形成手段により、可視目標マークの外径が微変動した状態で、第１の発明ないし第３の発明の何れかの発明で得られる作用が実行される。
【発明の効果】
【００１０】  第１の発明に係る流入接触位置案内装置は、生体試料の流入器具に自在に取付け使用されるが、調整手段によって生体試料が流入接触する接触目標位置に方向が正確に調整された状態で流入器具に簡単に取り付けることが可能である。そして接触目標位置に正確に方向が調整された状態で使用可能となり、使用時には流入器具に流入される生体試料が接触する流入接触位置は、照射手段によって赤外線領域と紫外線領域を含んだ光波が集中照射され、可視目標マーク形成手段によって、流入接触目標位置に可視目標マークが形成される。【００１１】  このために、第１の発明に係る流入接触位置案内装置では、流入器具に生体試料を流入しようとする利用者は、接触目標位置が正確に調整された状態で流入器具に取り付けられる流入接触位置案内装置を利用することが可能になり、流入接触目標位置に利用者の視覚で明確に確認される可視目標マークに向けて、簡単な段取りで生体試料を適確に且つ迅速に流入させることが可能になる。【００１２】  第２の発明に係る流入接触位置案内装置によると、流入器具を便器とし生体試料を男性小水として第１の発明で得られる効果を実現することが可能になる。【００１３】  第３の発明に係る流入接触位置案内装置によると、可視目標マークを円形の赤色マークとして、暗闇でも視覚で明確に確認される赤色のマークにより、第１の発明または第２の発明で得られる効果を実現することが可能になる。【００１４】  第４の発明に係る流入接触位置案内装置によると、可視目標マーク形成手段により、可視目標マークの外径が微変動するので、可視目標マークを視覚でより明確に確認した状態で、第１の発明ないし第３の発明の何れかの発明で得られる効果を実現することが可能になる。
【図面の簡単な説明】
【００１５】
【図１】  本発明の一実施例の使用状態を示す全体構成図である。
【図２】  同実施例の構成を示す斜視図である。
【発明を実施するための形態】
【００１６】  以下に本発明に係る流入接触位置案内装置が、流入器具である便器に取り付け使用される形態について、一実施例を取り上げ図１及び図２を参照して説明する。
【実施例】
【００１７】  本実施例としては、図１に示すように流入機器として便器１が用いられ、生体試料が男性小水で、可視目標マークが赤色マークである場合について説明する。
同図に示すように、便器１は床に固定配置される支持台７に本体６が一体に形成されており、この本体６は外周に沿ってほぼ楕円状に楕円環体が形成され、この楕円環体の内周から支持台７方向に外形が楕円状の凹面が形成されている。凹面の底部には流入凹部８が形成され、この流入凹部８の前方に連続して、生体試料である男性小水を流出する流出孔８ａが形成されている。
本体６の前部には取付台１０が取り付けられ、この取付台１０に便座１１と便座蓋１３とが、それぞれ回動自在に軸支されており、図１では便座蓋１３と便座１１とが反時計回り方向に回動解放され、便器１に生体試料として男性小水が流入可能な状態が示されている。【００１８】  本体６の楕円環体の後端部面上に、流入接触位置案内装置２が貼付固定されている。この流入接触位置案内装置２は、図２に示すように、薄型長方形状に形成され底面の長手両端部近傍に接着剤が塗布され、この接着剤を覆って除去自在なカバーシート１５が配設されている。また、流入接触位置案内装置２の長手方向の一側面からは、細径円柱状の可視光照射器３が突出配設され、可視光照射器３の先端には赤色光線を照射する照射体３ａが取り付けられている。可視光照射器３は可塑性で、調整者によって照射体３ａからの赤色光線が、本体６の底部内面の予め設定した目標接触位置に目標マーク５を照射形成するように、方向を位置決めするために変形可能になっている。【００１９】  また、照射体３ａの近傍には操作釦３ｂが設けられ、この操作釦３ｂが操作されると、本体６の底部内面の目標接触位置に照射形成される目標マーク５の円形外縁部が点滅して、赤色円形の目標マーク５が強く印象付けられるように構成されている。
そして、便器１の後部の支持台７の近傍に位置マツト１４が布設されており、利用者が位置マツト１４を両足で踏んで位置マット１４上に直立すると、位置マツト１４から発せられる光信号によって、流入接触位置案内装置２が起動するように構成されている。【００２０】  このような構成の本実施例では、予め調整者が本体６の底部内面に男性小水が生体試料として流入された場合に、生体試料が本体６外に飛散放出して、床に汚れが残ったり異臭が残存することのないように、本体６の底部内面に目標接触位置が設定される。
この場合調整者は、図２に示す流入接触位置案内装置２のカバーシート１５を剥がして、露出される接着剤により、流入接触位置案内装置２を、図１に示すように便器１後部の本体６の楕円環状の上面部に貼付固定する。この状態で調整者は、照射体３ａからの赤色光線が、予め設定した目標接触位置に可視目標マークを形成するように、可塑性の可視光照射器３を調整変形する。そして、必要に応じて操作釦３ｂを操作して、目標マーク５の円形外縁部を点滅させることにより、目標マーク５の印象付けを強化する処理をする。【００２１】  このように流入接触位置案内装置２が装着された便器１の便座蓋１３と便座１１を開き、生体試料として男性小水を流入しようとする利用者が、便器１の後方の接触位置案内装置２に接近して敷かれた位置マット１４の上に直立すると、位置マット１４から発せられる光信号によって、流入接触位置案内装置２が起動する。そして、可視光照射器３の照射体３ａから赤色可視光が、目標接触位置に円形に集中照射されて可視目標マークが形成される。さらに、操作釦３ａが操作されている場合には、円形の可視目標マークの円形外縁部が点滅する。【００２２】  従って利用者が老齢者、子供或いは病弱者のように、周囲へ十分な配慮が行き届かない場合でも、赤く輝く円形の可視目標マークに対して、男性小水を放出するように簡単適切に指導教示することが可能になる。そして、このような指導教示を受けた利用者は、適確且つ迅速に簡単な操作により男性小水を放出することが可能になり、男性小水が床に飛散して後々まで汚れが残ったり異臭が残存することを防止することが可能になる。【００２３】  なお、上述の実施例では照射体３ａから赤色可視光が集中照射される場合を説明したが、赤外線を使用して熱電対で赤外線を検出し、可視光ランプを点灯することも可能である。また、紫外線を使用し、光電管で紫外線を検出して可視光ランプを点灯することも可能である。【００２４】  さらに、上述の実施例では、流入器具が便器で生体試料が男性小水である場合を説明したが、本発明は上述の実施例に限定されるものではなく、例えば医療施設において、特定の病原菌が発生する口内炎の発生を確認するために、特定の医薬の混入水で一定時間の嗽を行なった後に、嗽水を病理判定器具に流入させる場合にも適用することが可能である。
【符号の説明】
【００２５】１  便器
２  流入接触位置案内装置
３  可視光照射器
３ａ  照射体
３ｂ  操作釦
５  目標マーク
６  本体
７  支持台
８  流入凹部
８ａ  流出孔
１０  取付台
１１  便座
１２  便座ダンパ
１３  便座蓋
１４  位置マット
１５  カバーシート
【図１】
2011208485.tif 000003
【図２】
2011208485.tif 000004